(57)【要約】【課題】２つ折りにした複数のシートを２つの支持板を有する保持具に支持されるようにして、シートを捲ってもシートが保持具から分離しないようにした捲り式シート状物を提供する。【解決手段】二つ折りにし折り目の中央に通し孔３を開設したシート１を複数枚重合し、前記重合したシート１の内側に保持具１０を介装した捲り式シート状物において、前記保持具１０は、対向する第１の支持板１２と第２の支持板１３とからなり、これらの支持板の各々には、前記重合されたシート１の通し孔３から上方に突出する凸部１２ｂ，１３ｂと、該凸部１２ｂ，１３ｂの左右両側に位置し前記シートの折り目２部分を載置する肩縁部１４，１５とが形成されている。【選択図】図１
2009220352.tif 000002
【特許請求の範囲】
【請求項１】
二つ折りにし折り目の中央に通し孔を開設したシートを複数枚重合し、前記重合したシートの内側に保持具を介装した捲り式シート状物において、
前記保持具は、対向する第１の支持板と第２の支持板とからなり、
前記第１及び第２の支持板の各々には、前記重合されたシートの通し孔から上方に突出する凸部と、該凸部の左右両側に位置し前記シートの折り目部分を載置する肩縁部とが形成されており、
前記第１の支持板の凸部と前記第２の支持板の凸部とが折り目を介して連設されていることを特徴とする捲り式シート状物。
【請求項２】
前記第２の支持板は、その左右の肩縁部の各々から下方に延びる縦折れ線を介して前記シートに開設された通し孔の左右間の幅内に収まるように折り曲げ可能に形成されていることを特徴とする請求項１記載の捲り式シート状物。
【発明の詳細な説明】
【技術分野】
【０００１】
本発明は、二つ折りにしたカレンダーやポスター等のシートを複数枚重合し、該重合されたシートを捲って使用する捲り式シート状物に関するものである。
【背景技術】
【０００２】
捲り式シート状物の代表的なものとして、例えば、壁掛け用の捲り式のカレンダーが存在する。そして、この種のカレンダーの一般的なものとして、例えば、複数枚のカレンダーシートの上端縁に金属製の綴じ具を設けてなるもの、あるいは、複数枚のカレンダーシートの上端縁にコイル形式の綴じ具を設けてなるものが広く知られている。
【０００３】
しかしながら、前者の綴じ具を設けたカレンダーは、表示されている月が終了する度に、その終了した頁を切り取る必要があり、頁が残り少なくなると切り取りづらくなって、力の入れぐらいによっては綴じ具が曲がってしまうなどの問題があり、また、使用終了後は、シートの残存分を綴じ具から分離することが困難で、ひいては廃棄等の際にシートの残存部分と綴じ具とを分別することがきわめて困難であるという問題を有している。
【０００４】
また、後者のコイル形式の綴じ具を設けたカレンダーは、次頁への紙送りは容易であるものの、製作工程が複雑でコストが高くつき、また、前者の綴じ具を設けたカレンダーと同様、使用終了後の廃棄の際の分別が容易ではないという問題を有している。
【０００５】
そこで、これら問題を解決すべく、例えば、折り目を境に二つ折りにされたカレンダー等のシートの中央に穴を設け、この穴に金属製の棒の中央を略Ｕ字状に折り曲げた保持具を挿入してなる壁掛け用吊り下げ具が考案されている（特許文献１）。また、折り目を境に二つ折りにされたカレンダー等のシートの中央に通し穴を設け、この通し穴に凸部を有する保持板の該凸部を挿入して使用するカレンダーが存在している（特許文献２）。
【特許文献１】登録実用新案第３０５９６８５号公報
【特許文献２】特許公開２００２−１１３９７５号公報
【発明の開示】
【発明が解決しようとする課題】
【０００６】
ここで、上記特許文献１及び２に示されたものは、シートと保持具とを分離することが容易で、両者の分別処理等の問題は解消されているものの、次に述べるような不便さが生じている。この不便さについてわかり易くするために、上記特許文献２のカレンダーを例にとって説明すると、このカレンダーは、３枚のシート（カレンダー紙）からなり、各シートにはシートを二つ折りにした状態の前後の２面、さらに裏返して二つ折りにした前後の２面の合計４面にそれぞれ１ヶ月毎の暦が印刷されている。そして、捲り式のカレンダーというものは、表示されている月が終わると、一番前面にある終了月のシートを捲って次の月が表示されているシートを前面に位置させる必要がある。
しかしながら、特許文献２に記載されたものの場合、シートを捲ると一番上にあるシートが保持板から分離してしまうため、終了月以外の暦を再び表示させる場合には、再度シートを保持板に付け直さなければならない。すなわち、特許文献２に記載されたカレンダーの場合、表示月が終了する度に、一旦、シートを保持板から外し、シートの前面に表示月がくるようにしてから、再びシートを保持板に付け直すという面倒な作業を行わなければならないという不便さが生じてしまうことになる。なお、この点については、特許文献１記載のものも同様である。
【０００７】
そこで、本発明は上記課題を解決すべく、表示されているシートを捲って、次のシートを表示させる場合において、捲った後のシートが保持具から分離しないようにして、シートを捲るごとにシートを保持具に付け直すという面倒な作業を必要としない捲り式シート状物を提供することを目的とするものである。
【課題を解決するための手段】
【０００８】
かかる目的を達成するため請求項１記載の捲り式シート状物は、二つ折りにし折り目の中央に通し孔を開設したシートを複数枚重合し、前記重合したシートの内側に保持具を介装した捲り式シート状物において、前記保持具は、対向する第１の支持板と第２の支持板とからなり、前記第１及び第２の支持板の各々には、前記重合されたシートの通し孔から上方に突出する凸部と、該凸部の左右両側に位置し前記シートの折り目部分を載置する肩縁部とが形成されており、前記第１の支持板の凸部と前記第２の支持板の凸部とは、折り目を境に連設されていることを特徴とすることを特徴とする。このように構成することにより、シートを捲ると、一方の支持板に支持されていたシートが他方の支持板へと移動することになるので、シートを捲るたびにシートを付け替えなければならないという不便さから解消される。
【０００９】
また、前記第２の支持板は、その左右の肩縁部から下方に延びる縦折れ線を介して前記シートに開設された通し孔の左右間の幅内に収まるように折り曲げ可能に形成されていることが好ましい。このように構成することにより、シートに保持具を装着することがきわめて容易になる。
【発明の効果】
【００１０】
請求項１に係る捲り式シート状物は、一方の支持板に支持されているシートを捲ると、当該シートが他方の支持板に移動して他方の支持板で支持されることになるため、シートを捲るたびにシートが保持具から分離してしまうということがなく、また、表示面が替わるごとにシートを付け替えなければならないという面倒な作業が必要でない。
【００１１】
また、請求項２に係る捲り式シート状物の第２の支持板は、その左右の肩縁部の各々から下方に延びる縦折れ線を介してシートに開設された通し孔の左右間の幅内に収まるように折り曲げ可能に形成されていることから、その状態で第２の支持板をシートの通し孔に挿入することができ、シートに対して簡単に保持具を装着することが可能である。
【発明を実施するための最良の形態】
【００１２】
以下、本発明に係る捲り式シート状物をカレンダーに適用した場合の実施の形態を図面に基づき説明する。図１は本発明に係る捲り式シート状物の分解斜視図である。カレンダーは、二つ折りにした３枚のシート１Ａ，１Ｂ，１Ｃを重合したものと、該重合されたシート１Ａ，１Ｂ，１Ｃを保持する保持具１０とによって構成されている。これら３枚のシート１Ａ，１Ｂ，１Ｃは、いずれも紙製で、縦長長方形状に形成され、その長手方向の中央に横断状の横折線２を設けて折り目が形成されている。そして、この横折線２によって、シート１Ａ，１Ｂ，１Ｃを裏・表のいずれにも折り曲げることができるようになっている。このため、各シート１Ａ，１Ｂ，１Ｃには、表に２面、裏に２面の合計４つの表示面が形成されることになる。また、表示面のそれぞれには各月ごとの暦が印刷されている。具体的には、シート１Ａの表の前側には１月、表の後側には７月、裏の前側には１２月、裏の後側には６月の暦がそれぞれ印刷されている。同様に、シート１Ｂの表の前側には２月、表の後側には８月、裏の前側には１１月、裏の後側には５月、シート１Ｃの表の前側には３月、表の後側には９月、裏の前側には１０月、裏の後側には４月の暦がそれぞれ印刷されている。さらに、各シート１Ａ，１Ｂ，１Ｃの横折線２の幅方向中央部には後述する保持具１０を構成する第１の支持板１２の凸部１２ｂ及び第２の支持板１３の凸部１３ｂを上方へ突出させる横長の通し孔３が形成され、該通し孔３の中央には、さらに円形状の丸穴４が形成されている。なお、丸孔４は、保持具１０の凸部１２ｂ及び１３ｂを持ってシートを捲ろうとした際に指が邪魔になることを防止するために設けられたものである。
【００１３】
前記保持具１０は、前記シート１Ａ，１Ｂ，１Ｃと同様に紙製で、図１に示すように折り目１１を介して二つ折り可能になっており、その一方が第１の支持板１２で、他方が第２の支持板１３となっていて、二つ折りにした状態で両者は対向するようになっている。第１の支持板１２は、縦長長方形状の支持板本体１２ａと、該支持板本体１２ａの上端縁中央から突出する凸部１２ｂとからなっており、該支持板本体１２ａの左右両側の上端縁は、保持具１０をシート１Ａ，１Ｂ，１Ｃに装着した際、シート１Ａ，１Ｂ，１Ｃの横折線２が載置される肩縁部１４，１４となっている。また、支持板本体１２ａの横幅はシート１Ａ，１Ｂ，１Ｃと略同寸法になっており、縦方向の長さはシート１Ａ，１Ｂ，１Ｃよりも若干長く形成されている。このように支持体本体１２ａがシート１Ａ，１Ｂ，１Ｃよりも若干長く形成されているため、図３に示すようにシート１Ａ，１Ｂ，１Ｃに保持具１０を装着した際、支持体本体１２ａの下方部分はシート１Ａ，１Ｂ，１Ｃから食み出すことになり、この食み出した部分に、例えば会社名等の情報を表示できるようになっている。第２の支持板１３は、第１の支持板１２よりも縦方向の長さが短く、幅方向の両側下部の角部が弧状に切り欠かれており、全体として椀型形状の支持板本体１３ａと、該支持板本体１３ａの上端縁中央から突出する凸部１３ｂとからなっている。また、支持板本体１３ａの左右両側の上端縁は、前記シート１Ａ，１Ｂ，１Ｃの横折線２を載置する肩縁部１５，１５となっている。また、支持板本体１３ａには、その肩縁部１５，１５であって前記凸部１３ｂとの境目の部分から下方向に延びる縦折線１７，１７が設けられていて、支持板本体１３ａの左右両側部分が内側に折り曲げ可能な折曲片１６，１６となっている。また、支持板本体１３ａに設けられた縦折線１７，１７を介して折曲片１６，１６を折り曲げると、支持板本体１３ａの幅は、シート１Ａ，１Ｂ，１Ｃに開設された通し孔３の左右間の幅内に収まるようになっている。なお、１８，１８は、第１の支持板１２の凸部１２ｂ及び第２の支持板１３の凸部１３ｂのそれぞれの中央に設けられた掛止孔であり、例えば、壁などに差し込まれているピンにカレンダーを吊り下げる場合に使用されるものである。また、前述のとおり、第２の支持板１３の支持板本体１３ａの幅方向の両側下部の角部は弧状に切り欠かれているが、これは保持具１０をシートに装着する際、支持板本体１３ａの両側下部がシート１Ａ，１Ｂ，１Ｃの通し孔３に引っ掛からないようにしたもので、必ずしもこのようにしなければならないわけではない。すなわち、第２の支持板１３の支持板本体１３ａの形状は、碗型形状でない矩形、半円形、台形等の種々の形状を選択することが可能である。要するに、第２の支持板１３は、凸部１３ａと肩縁部１５，１５とが形成されていれば、その形状は特に限定されるものではない。さらに、上述した説明では、支持板本体１３ａに設けられた縦折線１７，１７が、肩縁部１５と凸部１３ｂの境目部分に設けられている例を説明したが、必ず縦折線１７，１７が、その位置になければならないわけではなく、肩縁部１５，１５のいずれかの部位から下方向に延びる縦折線１７，１７を設けて、支持板本体１３ａの折曲片１６，１６を内側に折り曲げた場合に第２の支持板１３がシート１の通し孔３の左右間の幅内に収まるようになっていればよい。
【００１４】
次に、シート１Ａ，１Ｂ，１Ｃに保持具１０を装着して、カレンダーとして使用できるようにする手順について図２に基づいて説明する。まず、横折線４に沿って予め折り曲げた状態の３枚のシート１Ａ，１Ｂ，１Ｃを重ね合わせておく。このとき、１番上に１・７・１２・６月が印刷されているシートＡ、その内側に２・８・１１・５月が印刷されているシートＢ、更にその内側に３・９・１０・４月が印刷されているシートＣがくるように重ね合せておく。次に、図２（イ）に示すように保持具１０も、その折り目１１に沿って折り曲げると共に、第２の支持板１３の支持板本体１３ａの縦折線１７，１７に沿って折曲片１６，１６を内側に折り曲げる。そして、シート１Ａの１月が印刷されている面と保持具１０の第２の支持板１３が互いに向き合うようにし、図２（イ）に示すように折曲片１６，１６が折り曲げられた状態の第２の支持板１３をシート１Ａ，１Ｂ，１Ｃの通し孔３へ挿入する。そうすると、第２の支持板１３は、もっとも内側に位置するシート１Ｃの真ん中に挿入される。次いで、図２（ロ）に示すようにシート１Ａ，１Ｂ，１Ｃの片側の３枚を捲り、折り曲げた状態の第２の支持板１３の折曲片１６，１６をもとに戻す。これで、シート１Ｃの横折線２が第２の支持板１３の肩縁部１４に載置されて、カレンダーとして使用できる状態になる。
【００１５】
さらに、本実施の形態に係るカレンダーの使用方法について図３に基づいて説明する。カレンダーが未使用の状態では、図３（イ）に示すようにシート１Ｃの横折線２が第２の支持板１３の肩縁部１５，１５に載置されており、該シート１Ｃの上にシート１Ｂ，１Ａが重合されている。このとき、第１の支持板１２の肩縁部１４にはシート１のいずれのものも載置されておらず、第１の支持板１２の前側の面がカレンダーの表紙の役割を果たしている。そして、図３（ロ）に示すように第１の支持板１２を捲ると、第１の支持板１２はカレンダーの後側に折り返され、シート１Ａに印刷されている１月の暦が前面に位置することになる。１月が終了し２月を前面に位置させる場合には、図３（ハ）に示すようにシート１Ａを捲って後側に折り返す。そうすると、シート１Ａの横折線２が第１の支持板１２の肩縁部１４に載置され、シート１Ａは第１の支持板１２に吊り下がった状態になる。２月が終了し３月を前面に位置させる場合にも、同様の手順をとればよい。３月が終了しシート１Ｃを捲って後側へ折り返すと、シート１Ｃの４月が前面に位置するが、このとき、シート１Ｃのカレンダーの前面上部には第２の支持板１３が位置することになる。そこで、第２の支持板１３を捲って後方に折り返せば、シート１Ｃの４月が印刷されている面のみが前面に位置することになる。さらに、４月が終了し５月を前面に位置させる場合には、シート１Ｃを捲って後側に折り返す。そうすると今度はシート１Ｃの横折線２が第２の支持板１３の肩縁部１５に載置され、シート１Ｃは第２の支持板１３に吊り下がった状態になる。この手順を繰り返し６月が終了すると、図３（イ）の状態、すなわち、第１の支持板１２の前側の面がカレンダーの表紙の役割を果たしている状態に戻る。そうしたら、今度は、カレンダー自体を反転させると、７月の暦が印刷されたシート１Ａが前面に位置することになる。その後は、先に述べた手順を繰り返し行えば、８月〜１２月までの暦を順に前面に位置させることができる。
【００１６】
図４は、本発明の使用状態を示す側面図であり、シート１Ａが保持具１０の第２の支持板１３ｂから第１の支持板１２ｂへと移動する状態を示すものである。なお、本発明は、複数枚のシートが存在していることを前提とするものであるが、シートの移動をわかり易くするため、ここでは１枚のシート１Ａのみで説明する。図４（イ）は、シート１Ａの横折線２が第２の支持板１３の肩縁部１５，１５に載置されてシート１Ａが第２の支持板１３に吊り下がっている状態である。この状態からシート１Ａの片面を図４（ロ）に示すように捲ると、シート１Ａの片面が第１の支持板１２へと移動し、シート１Ａの横折線２が第１の支持板１２の肩縁部１４，１４に載置されることになり、シート１Ａが第１の支持板１２に吊り下がった状態になる。逆に、シート１Ａを第１の支持板１２から第２の支持板１３へと移動させる場合には、逆の手順をとればよい。このようにして本発明では、シート１が保持具の第１の支持板１２と第２の支持板１３とを行き来して各々の支持板で保持されることになる。
【００１７】
なお、本実施の形態において、本発明に係る捲り式シート状物につき、カレンダーを例として説明したが、これに限定されるわけでなく、絵、写真、あるいは標語を印刷したシートを捲り式に綴ったものなど種々のものに応用可能である。また、シート１及び保持具１０を紙製としたもので説明したが、合成樹脂、木などの素材をシート状にしたものでもよく、材質は種々のものを選択可能である。
【図面の簡単な説明】
【００１８】
【図１】本発明に係る捲り式シート状物の分解斜視図。
【図２】本発明に係る捲り式シート状物の組立方法を示す図。
【図３】本発明に係る捲り式シート状物の使用状態を示す斜視図。
【図４】本発明に係る捲り式シート状物の使用状態を示す側面図。
【符号の説明】
【００１９】
１Ａ          シート
１Ｂ          シート
１Ｃ          シート
２            横折線
３            通し孔
４            丸穴
１０          保持具
１１          折り目
１２          第１の支持板
１３          第２の支持板
１４          肩縁部
１５          肩縁部
１６          折曲片
１７          縦折線
１８          掛止孔
【図１】
2009220352.tif 000003
【図２】
2009220352.tif 000004
【図３】
2009220352.tif 000005
【図４】
2009220352.tif 000006